(57)【要約】【課題】  植木鉢内の土壌へ十分な水を供給することが可能であるとともに、貯水タンク内の水の量を外部から目視して認識することができ、既存の植木鉢にも適用可能な植木鉢の自動給水装置を提供する。【解決手段】  植木鉢１の内部に設置され、空気抜きが設けられた水等を溜める給水タンク１２を備え、給水タンク１２内の水等の残量を示す水位確認手段１４として、下部に浮き１４Ｃを備えた棒状の指示部材１４Ｂを上下動可能に案内する筒状のガイドパイプ１４Ａを給水タンク１２から上方へ向けて配設するとともに、給水タンク１２内部から植木鉢１の土壌内部へ延出する給水用の給水手段１６を設け、給水手段１６から植木鉢１内部の土壌へ水分等を供給する【選択図】        図１
0003117045.tif 000002
【実用新案登録請求の範囲】
【請求項１】
植木鉢の内部に設置され、水等を溜める給水タンクを備え、該給水タンク内の水等の残量を示す空気抜きを兼ねた水位確認手段を該給水タンクから上方へ向けて配設するとともに、該給水タンク内部から植木鉢の土壌内部へ延出する給水用の給水手段を設け、該給水手段から植木鉢内部の土壌へ水分等を供給することを特徴とする植木鉢の自動給水装置。
【請求項２】
植木鉢の内部に設置され、水等を溜める給水タンクを備え、該給水タンク内の水等の残量を示す空気抜きを兼ねた水位確認手段として、下部に浮きを備えた棒状の指示部材を上下動可能に案内する筒状のガイドパイプを該給水タンクから上方へ向けて配設するとともに、該給水タンク内部から植木鉢の土壌内部へ延出する給水用の給水手段を設け、該給水手段から植木鉢内部の土壌へ水分等を供給することを特徴とする植木鉢の自動給水装置。
【請求項３】
植木鉢の内部に設置され、水等を溜める給水タンクを備え、該給水タンク内の水等の残量を示す空気抜きを兼ねた水位確認手段として、下部に浮きを備えた棒状の指示部材を上下動可能に案内する筒状のガイドパイプ、並びに該給水タンクに水を補給する際に利用される補給パイプを、該給水タンクから上方へ向けて配設するとともに、該給水タンク内部から植木鉢の土壌内部へ延出する給水用の給水手段を設け、該給水手段から植木鉢内部の土壌へ水分等を供給することを特徴とする植木鉢の自動給水装置。
【請求項４】
植木鉢の内部に設置され、水等を溜める給水タンクを備え、該給水タンク内の水等の残量を示す空気抜きを兼ねた水位確認手段として、下部に浮きを備えた棒状の指示部材を上下動可能に案内する筒状のガイドパイプ、並びに給水タンクに水を補給する補給パイプを、該給水タンクから上方へ向けて配設するとともに、該給水タンク内部から植木鉢の土壌内部へ延出する給水用の給水手段を設け、該給水手段は円柱状の通水性を有するパイプ材を芯材として用いるとともに、その内側及び外側に吸水性材料を取り付け、該給水手段から植木鉢内部の土壌へ水分等を供給することを特徴とする植木鉢の自動給水装置。
【請求項５】
植木鉢の内部に設置され、水等を溜める給水タンクを備え、該給水タンク内の水等の残量を示す空気抜きを兼ねた水位確認手段として、下部に浮きを備えた棒状の指示部材を上下動可能に案内する筒状のガイドパイプ、並びに給水タンクに水を補給する補給パイプを、該給水タンクから上方へ向けて配設するとともに、該給水タンク内部から植木鉢の土壌内部へ延出する給水用の給水手段を設け、該給水手段は円柱状の通水性を有するパイプ材を芯材として用いるとともに、該パイプ材をネットで形成し、該パイプ材の内側及び外側に綿、不織布、スポンジなどの吸水性材料を取り付け、該給水手段から植木鉢内部の土壌へ水分等を供給することを特徴とする植木鉢の自動給水装置。
【考案の詳細な説明】
【技術分野】
【０００１】
本考案は、鉢植えの植物などに利用される自動給水装置に係り、水やり作業に要する手間を軽減可能であり、且つ水やりの間隔を長くすることが可能な植木鉢の自動給水装置に関する。
【背景技術】
【０００２】
従来、植物が植えられた植木鉢への水やり作業は、専ら人手によって行われ、例えば２日に１度に行う必要がある等、植物の種類にもよるが、通常数日単位の間隔で行う必要がある。一方で、このような水やり作業手間を軽減するため、特開2004−16121号公報（特許文献１）には、給水口付き植物栽培用の鉢が開示されている。同公報には、水が溜められる外部タンクと、植木鉢本体内部に鉢の下部部分を仕切る中仕切とを設け、外部タンクから中仕切へ供給された水が、中仕切から土へ浸透することによって、水やり作業に要する手間を低減するとともに、水の有効利用を可能ならしめるとされている。
【特許文献１】特開2004−16121号公報
【０００３】
さらに、特開2004−267019号公報（特許文献２）記載の発明は、鉢を置く鉢置部に上に、不織布、スポンジ等の保水性マットを敷き、鉢置部の下側に設けた貯水部の貯留水を、毛細管作用を有する水吸上材を介して、保水性マットに補給し、保水性マットの上面を、鉢の底孔を通して培養土に接触させることにより、水分を培養土に補給することを特徴としている。
【特許文献２】特開2004-267019号公報
【０００４】
また、特許文献２の図７には不織布片を鉢の中に埋め込み、その下端側を鉢の底孔から引き出し、鉢と別体に設けた貯水タンクの水槽に浸漬させ、不織布から浸透する水を鉢の土へ供給することが記載されている。
【考案の開示】
【考案が解決しようとする課題】
【０００５】
しかしながら、前述した特許文献１記載の発明は、外部タンクを別途設置するスペースが必要となり、植木鉢の設置可能な箇所が限定される場合があるとともに、植木鉢自体の構造が複雑化し、鉢の製作に要するコスト高の原因となる。
また、特許文献２記載の発明では、鉢を設置するスペースとしては、上述のような問題は生じないが、保水性マットの上面を、鉢の底孔を通して培養土に接触させるため、鉢内部の土に供給される水分の量が不十分となる虞がある。特に、大きな植木鉢の場合は、その可能性が高い。
さらに、特許文献２の図７に記載されている不織布片と、鉢と別体に設けた貯水タンクとを利用した自動給水式植木鉢の場合は、貯水タンク内に水が、どの程度貯留されているか外部から目視することができないため、いちいち貯水タンクと植木鉢とを取り外して、残りの水の量を確認する必要があった。また、貯水タンクと鉢とは、一体化された製品であるため、既存の植木鉢には適用できないという問題点がある。
【０００６】
本考案は、このような諸事情に対処するために提案されたものであって、植木鉢内の土壌へ十分な水を供給することが可能であるとともに、貯水タンク内の水の量を外部から目視して認識することができ、既存の植木鉢にも適用可能な植木鉢の自動給水装置を提供することを目的とする。
【課題を解決するための手段】
【０００７】
上記目的を達成するために、請求項１記載の考案は、植木鉢の内部に設置され、水等を溜める給水タンクを備え、該給水タンク内の水等の残量を示す空気抜きを兼ねた水位確認手段を該給水タンクから上方へ向けて配設するとともに、該給水タンク内部から植木鉢の土壌内部へ延出する給水用の給水手段を設け、該給水手段から植木鉢内部の土壌へ水分等を供給することを特徴とする。
【０００８】
請求項２記載の考案は、植木鉢の内部に設置され、水等を溜める給水タンクを備え、該給水タンク内の水等の残量を示す空気抜きを兼ねた水位確認手段として、下部に浮きを備えた棒状の指示部材を上下動可能に案内する筒状のガイドパイプを該給水タンクから上方へ向けて配設するとともに、該給水タンク内部から植木鉢の土壌内部へ延出する給水用の給水手段を設け、該給水手段から植木鉢内部の土壌へ水分等を供給することを特徴とする。
【０００９】
請求項３記載の考案は、植木鉢の内部に設置され、水等を溜める給水タンクを備え、該給水タンク内の水等の残量を示す空気抜きを兼ねた水位確認手段として、下部に浮きを備えた棒状の指示部材を上下動可能に案内する筒状のガイドパイプ、並びに該給水タンクに水を補給する際に利用される補給パイプを、該給水タンクから上方へ向けて配設するとともに、該給水タンク内部から植木鉢の土壌内部へ延出する給水用の給水手段を設け、該給水手段から植木鉢内部の土壌へ水分等を供給することを特徴とする。
【００１０】
請求項４記載の考案は、植木鉢の内部に設置され、水等を溜める給水タンクを備え、該給水タンク内の水等の残量を示す空気抜きを兼ねた水位確認手段として、下部に浮きを備えた棒状の指示部材を上下動可能に案内する筒状のガイドパイプ、並びに給水タンクに水を補給する補給パイプを、該給水タンクから上方へ向けて配設するとともに、該給水タンク内部から植木鉢の土壌内部へ延出する給水用の給水手段を設け、該給水手段は円柱状の通水性を有するパイプ材を芯材として用いるとともに、その内側及び外側に吸水性材料を取り付け、該給水手段から植木鉢内部の土壌へ水分等を供給することを特徴とする。
【００１１】
請求項５記載の考案は、植木鉢の内部に設置され、水等を溜める給水タンクを備え、該給水タンク内の水等の残量を示す空気抜きを兼ねた水位確認手段として、下部に浮きを備えた棒状の指示部材を上下動可能に案内する筒状のガイドパイプ、並びに給水タンクに水を補給する補給パイプを、該給水タンクから上方へ向けて配設するとともに、該給水タンク内部から植木鉢の土壌内部へ延出する給水用の給水手段を設け、該給水手段は円柱状の通水性を有するパイプ材を芯材として用いるとともに、該パイプ材をネットで形成し、該パイプ材の内側及び外側に綿、不織布、スポンジなどの吸水性材料を取り付け、該給水手段から植木鉢内部の土壌へ水分等を供給することを特徴とする。
【考案の効果】
【００１２】
上述のように、請求項１乃至５記載の考案によれば、植木鉢の内部に設置可能な給水タンクを有し、この給水タンクから植木鉢の土壌内部へ給水手段を介して水分等を供給するようにしている。このため、既存の植木鉢についても本考案に係る自動給水装置を設置することができ、専用の植木鉢が不要となる効果がある。
【００１３】
特に、請求項２記載の考案によれば、給水タンク内の水等の残量を示す空気抜きを兼ねた水位確認手段として、下部に浮きを備えた棒状の指示部材を設けているので、給水タンク内の水等の残量を外部から視認することができる。
【００１４】
また、請求項３記載の考案によれば、給水タンクに水を補給する際に利用される補給パイプを設けているので、植木鉢を設置した状態で、簡単に水等を補給することができる。
【００１５】
さらに、請求項４及び５記載の考案によれば、給水タンクに、植木鉢内の土壌へ水等を供給する給水手段を設け、この給水手段を円柱状の通水性を有するパイプ材を芯材として用いて形成し、このパイプ材に内側及び外側に綿、不織布、スポンジなどの吸水性材料を取り付けている。このため、植木鉢内の土が時間の経過等によって固くなった場合でも、内部に取り付けた吸水性材料が圧縮されるのを防止することができるので、吸水効果並びに保湿効果が低下することを回避することが可能である。
【考案を実施するための最良の形態】
【００１６】
以下、本考案に係る植木鉢の自動給水装置について添付図面を参照して説明する。図１は本考案の実施形態に係る自動給水装置が設置された植木鉢の内部構造を示す縦断面図、図２は図１のＩＩ−ＩＩ線に沿った矢視平面図、図３は植木鉢の内部に設置された本実施形態の自動給水装置を示す概略斜視図である。
【００１７】
図１乃至図３に示されるように、本実施形態の自動給水装置１０は、給水タンク１２と、水位確認手段１４と、給水手段として給水棒１６と、補給パイプ１８等とを主要な構成要素として構成されている。自動給水装置１０は、これらの図に示されるように、植木鉢１内部に設置されて使用され、そのうち、給水タンク１２は円柱状に形成されており、その内部に水、液体肥料などが貯留できるようになっている。植木鉢１内部には土壌が入れられ、植物が植えられるようになっている。
【００１８】
給水タンク１２の上部には、水位確認手段１４が上方へ向かって取り付けられている。この水位確認手段１４は、給水タンク１２の上面に取り付けられたガイドパイプ１４Ａと、棒状の指示部材１４Ｂと、指示部材１４Ｂの下部に取り付けられた球形の浮き１４Ｃとを有している。ガイドパイプ１４Ａは、その下端部が給水タンク１２の上面に固定され、その内部に浮き１４Ｃが取り付けられた棒状の指示部材１４Ｂを上下動可能に案内するとともに、ガイドパイプ１４Ａの上部が植木鉢１内に収容されている土壌から突き出した形となる。このため、給水タンク１２内が水等で満たされている場合は、浮き１４Ｃに浮力が作用して指示部材１４Ｂ全体がガイドパイプ１４Ａに沿って上方へ移動し、逆に給水タンク１２内の水等が少なくなった場合は、指示部材１４Ｂが下方へ移動することにより、給水タンク１２内の水量を外部から目視して確認することができるようになっている。図２に示される指示部材１４Ｂのガイドパイプ１４Ａから突出する部分には、目盛を設けておけば、正確に給水タンク１２内の水等の残量を把握することが可能である。
【００１９】
図２及び図３に示されるように、給水タンク１２の上部に取り付けられた水位確認手段１４のガイドパイプ１４Ａは給水タンク１２内の空気抜きとしても利用され、給水タンク１２内の空気を排出し、後述する給水棒１６から、水等が土壌へスムーズに供給されるようになっている。
また、給水タンク１２には、補給パイプ１８が上方へ向かって取り付けられており、給水タンク１２内へ水や液体肥料などを、補給パイプ１８上部の入口からジョーロ、ホースなどを利用して補給することが可能である。給水タンク１２の下部には、水抜き用の孔が設けられており、この孔は通常、キャップ１２Ｂによって閉塞され、水漏れなどが生じないようになっている。
【００２０】
次いで、給水手段としての給水棒１６について説明する。図４は給水棒１６の縦断面図、図５は給水棒の一部を切り欠いて内部の状態を示す斜視図、図６は図５のＶＩ−ＶＩ線に沿った横断面図である。
図４及び図５に示されるように、給水棒１６は、芯材となるパイプ材１６Ａと、その外側に巻き付けるようにして取り付けられた吸水性材料１６Ｂと、パイプ材１６Ａの内側に取り付けられた吸水性材料１６Ｃとから構成されている。給水棒１６は、給水タンク１２の中央部に穿設された上部孔１２Ａを貫通し、給水タンク１２の上方へ延出している。
【００２１】
給水棒１６の芯材は、円柱状の通水性を有するパイプ材１６Ａを用いており、本実施形態では、ある程度の肉厚を有し、折り曲げや圧縮に対しある程度の強度を持つナイロンなどを利用してネット状に形成したパイプ材１６Ａを使用している。パイプ材１６Ａの外周（外側）には、綿、不織布、スポンジなどの吸水性材料１６Ｂが取り付けられているとともに、その内側にも同様に綿、不織布、スポンジなどの吸水性材料１６Ｃが、パイプ材１６Ａの内壁に沿って貼り付けられる形で取り付けられている。
図５に示されるように、パイプ材１６Ａの下端部には、切り込み１６Ｅが入れられ、給水タンク１２内にて裾が広がる形状に形成されている。これによって、給水棒１６全体を植木鉢１の高さに合わせて上下動させることが可能となり、鉢の大きさに応じて土壌への給水量を最適な量となるように調節することができる。給水棒１６は、その外周面に弾力性を有する吸水性材料１６Ｂが巻き付けられているため、上部孔１２Ａと給水棒１６外周面との間に摩擦力が作用し、給水棒１６を給水タンク１２に対し固定することができる。
【００２２】
図４に示されるように、給水棒１６は、その下部の吸水性材料１６Ｂ，１６Ｃが末広がりとなる形で、給水タンク１２の底面に接触しており、給水タンク１２内の水等を吸い込むことができるようになっている。給水タンク１２内の水等は、毛細管現象によって矢印Ｘのように吸水性材料１６Ｂ，１６Ｃに吸い込まれるとともに、上昇した後、吸水性材料１６Ｂ，１６Ｃを介して矢印Ｙに示すように、植木鉢１内に収容されている土壌へ水分等を供給する。パイプ材１６Ａの頂部には、キャップ１６Ｄが嵌めこまれており、植木鉢１内の土が給水棒１６の内側に入り込むのを防止するようになっている。
【００２３】
給水棒１６の芯材として、ネット状のパイプ材１６Ａを使用したのは、折り曲げや圧縮に対する強度を確保しつつ、通水性を維持するためである。つまり、吸水性材料１６Ｂ，１６Ｃだけで給水棒１６を構成した場合、植木鉢１内の土が、時間を経るにしたがって徐々に固くなってきた際に、吸水性材料の綿、不織布、スポンジ等が土の圧力によって圧縮され、吸水効果並びに保湿効果が低下することを回避するために、パイプ材１６Ａを芯材として使用したものである。このようにした場合でも、外側の吸水性材料１６Ｂは、土の圧力によって圧縮される可能性はあるが、内側の吸水性材料１６Ｃはパイプ材１６Ａが介在することによって圧力を受けないため、吸水効果並びに保湿効果をある程度維持することが可能である。このように、内側の吸水性材料１６Ｃの吸水効果並びに保水効果を維持することで、内側から外側の吸水性材料１６Ｂに水等を浸透させることができるため、結果的に給水棒１６全体として土壌への給水力を維持することができる。
【００２４】
本実施形態によれば、植木鉢１内部に設置された給水タンク１２に水や液体肥料を貯留するとともに、給水タンク１２から給水手段としての給水棒１６を通じて、植木鉢１内部の土壌に水等を供給するようにしている。このため、従来、数日単位の間隔で行う必要があった植木鉢への水やり作業に要する作業手間を大幅に軽減することが可能となる。また、本実施形態では、既存の植木鉢１に給水タンク１２を設置することができるため、専用の植木鉢が必要だった特許文献１や、特許文献２記載の発明と比較して大幅なコストダウンを図ることが可能であるとともに、無駄を省くことができる。
【００２５】
なお、給水タンク１２の大きさについては、設置される植木鉢の寸法に応じて適宜設定することにより、多くの種類の植木鉢に対応することができる。また、本実施形態では、給水タンク１２に設けられる給水棒１６は１本となっているが、これに限らず、給水タンク１２の大きさや植木鉢の大きさに応じて、２本、３本と言ったよう数を増やしたり、給水棒１６の太さを変更することも可能である。
【産業上の利用可能性】
【００２６】
以上説明したように、本考案によれば、既存の植木鉢を利用して給水タンクを設置することができるので、専用の植木鉢を使用する必要がなく、無駄な費用を抑制することが可能である。また、給水手段から確実に植木鉢内の土壌へ、水等を供給することができ、水やりに要する作業手間を大幅に軽減することができる。
【図面の簡単な説明】
【００２７】
【図１】本考案の実施形態に係る自動給水装置が設置された植木鉢の内部構造を示す縦断面図である。
【図２】図１のＩＩ−ＩＩ線に沿った矢視平面図である。
【図３】本考案の実施形態に係る自動給水装置が植木鉢の内部に設置された状態を示す概略斜視図である。
【図４】本考案の実施形態に係る自動給水装置の主要部である給水棒の縦断面図である。
【図５】同じく、本考案の実施形態に係る自動給水装置の主要部である給水棒の一部を切り欠いて内部の状態を示す斜視図である。
【図６】図５のＶＩ−ＶＩ線に沿った横断面図である。
【符号の説明】
【００２８】
１  植木鉢
１０  自動給水装置
１２  給水タンク
１２Ａ  上部孔
１２Ｂ  キャップ
１４  水位確認手段
１４Ａ  ガイドパイプ
１４Ｂ  指示部材
１４Ｃ  浮き
１６  給水棒（給水手段）
１６Ａ  パイプ材（芯材）
１６Ｂ  １６Ｃ  給水性材料
１６Ｄ  キャップ
１６Ｅ  切り込み
１８  補給パイプ
【図１】
0003117045.tif 000003
【図２】
0003117045.tif 000004
【図３】
0003117045.tif 000005
【図４】
0003117045.tif 000006
【図５】
0003117045.tif 000007
【図６】
0003117045.tif 000008